(57)【要約】【課題】赤外線リモコン信号の受信性能を改善して高品質にすることができる放電灯点灯装置及び照明器具を提供する。【解決手段】放電灯点灯装置１０及び照明器具は、天井面に取り付けられることにより商用電源を受けて高周波電力に変換して、環状の放電灯を点灯制御する。環状の放電灯の中心に配置されて、放電灯点灯回路部１４を構成する電子部品１３を実装した第１プリント基板１１を天井面に対し垂直になるように備え、赤外線リモコン信号を受信する受光素子１９の受光面２１を天井面に対向する床面に対向するように配置した。【選択図】図２
2010027572.tif 000002
【特許請求の範囲】
【請求項１】
天井面に取り付けられることにより商用電源を受けて高周波電力に変換して、環状の放電灯を点灯制御する放電灯点灯装置であって、
前記環状の放電灯の中心に配置されて、放電灯点灯回路部を構成する電子部品を実装した第１プリント基板を前記天井面に対し垂直になるように備え、
赤外線リモコン信号を受信する受光素子の受光面を前記天井面に対向する床面に対向するように配置したことを特徴とする放電灯点灯装置。
【請求項２】
前記受光素子は、前記第１プリント基板とは独立した第２プリント基板に実装され、前記第２プリント基板を前記天井面と並行になるように前記第１プリント基板に接続したことを特徴とする請求項１記載の放電灯点灯装置。
【請求項３】
前記第１プリント基板は、その短辺が前記天井面に接するように配置されていることを特徴とする請求項１または２記載の放電灯点灯装置。
【請求項４】
前記第２プリント基板は、少なくとも前記赤外線リモコン信号を受信する受光素子と、操作スイッチと、常夜灯と、を備えていることを特徴とする請求項１〜３のいずれか１項記載の放電灯点灯装置。
【請求項５】
前記放電灯点灯回路部は、引掛ローゼットに受電接続される一対の引掛刃をケースの外郭に備えていることを特徴とする請求項１〜４のいずれか１項記載の放電灯点灯装置。
【請求項６】
請求項１〜５のいずれか１項記載の放電灯点灯装置を備えていることを特徴とする照明器具。
【請求項７】
前記天井面に対して、前記受光素子を前記環状の放電灯の下端よりも遠くに配置したことを特徴とする請求項６記載の照明器具。
【発明の詳細な説明】
【技術分野】
【０００１】
本発明は、環状の放電灯を制御する放電灯点灯装置及び照明器具に関し、特に赤外線リモコン信号によって照明状態を遠隔操作する放電灯点灯装置及び照明器具に関する。
【背景技術】
【０００２】
従来の放電灯点灯装置及び照明器具の一例として、赤外線リモコン信号を受ける受光素子をリモコンユニット内に配置し、そのリモコンユニットは、放電灯を点灯させる点灯回路部と電線等により接続した放電灯点灯装置が知られている（例えば、特許文献１参照）。
通常、放電灯点灯装置は、リモコン送信器から送信された赤外線リモコン信号を受光素子にて受信し照明状態を制御する。このとき、放電灯が点灯時に発する光の中に赤外線に近い波長を含むため、リモコン信号にとってノイズとなり、リモコンの受信性能に影響を及ぼすことが知られている。
そのため、特許文献１の放電灯点灯装置は、リモコンユニットと点灯回路部とを分離し、リモコンユニットを放電灯と同じ高さに設置することにより、受光素子にとって光ノイズとなりうる放電灯からの光の影響を抑制するようにしている。
【０００３】
従来の放電灯点灯装置及び照明器具の他の一例として、リモコンユニットと点灯回路部とを同一のプリント基板上に配置した放電灯点灯装置が知られている。
この放電灯点灯装置は、当然、受光素子が放電灯からの光の影響を受けやすくなってしまうため、比較的ノイズの少ないランプ口金周辺部に受光素子を配置している。
しかし、ランプ口金付近にはランプフィラメントがあり、このランプフィラメントからの熱の影響を受けやくなり、トレードオフの関係になる。
【特許文献１】特開２００３−１６２９２０号公報（図４、段落番号０００６）
【発明の開示】
【発明が解決しようとする課題】
【０００４】
ところが、上記特許文献１の放電灯点灯装置においては、リモコンユニットと点灯回路部とを分離しているため、リモコンユニットの配置場所を配慮することにより、受光素子が放電灯からの光ノイズの影響を抑制することはできるものの、照明器具を構成する部材として２つの部品が必要になり、それによって、照明器具の構造が複雑になるとともに組立て性が良好ではない。
【０００５】
一方、他の放電灯点灯装置においては、リモコンユニットと点灯回路部とを同一のプリント基板上に配置しており、照明器具の構成部材としては１つの部品になって上記特許文献１のような課題は解決できるものの、上述したように、改善のために受光素子をランプ口金周辺に配置すると、ランプフィラメントからの熱の影響を受けなくなり、トレードオフの関係になる。
【０００６】
本発明は、前述した要望を満たすためになされたもので、その目的は、赤外線リモコン信号の受信性能を改善して高品質にすることができる放電灯点灯装置及び照明器具を提供することにある。
【課題を解決するための手段】
【０００７】
本発明の放電灯点灯装置は、天井面に取り付けられることにより商用電源を受けて高周波電力に変換して、環状の放電灯を点灯制御する放電灯点灯装置であって、
前記環状の放電灯の中心に配置されて、放電灯点灯回路部を構成する電子部品を実装した第１プリント基板を前記天井面に対し垂直になるように備え、
赤外線リモコン信号を受信する受光素子の受光面を前記天井面に対向する床面に対向するように配置したことを特徴とする。
【０００８】
本発明においては、環状の放電灯の中心に配置されて、放電灯点灯回路部を構成する電子部品を実装した第１プリント基板を天井面に対し垂直になるように備え、赤外線リモコン信号を受信する受光素子の受光面を前記天井面に対向する床面に対向するように配置したことにより、受光素子が放電灯からの光ノイズの影響を受け難い。
よって、赤外線リモコン信号の受信性能を改善することができる。
【０００９】
本発明の放電灯点灯装置は、前記受光素子は、前記第１プリント基板とは独立した第２プリント基板に実装され、前記第２プリント基板を前記天井面と並行になるように前記第１プリント基板に接続したことを特徴とする。
【００１０】
本発明においては、第１プリント基板とは独立した第２プリント基板に受光素子を実装し、第２プリント基板を天井面と並行になるように第１プリント基板に接続したことにより、天井面に対し垂直に配置されている第１プリント基板の床面側の放電灯からの光ノイズの影響を受け難い位置に受光素子が配置される。
よって、赤外線リモコン信号の受信性能を改善することができる。
【００１１】
本発明の放電灯点灯装置は、前記第１プリント基板は、その短辺が前記天井面に接するように配置されていることを特徴とする。
【００１２】
本発明においては、短辺が天井面に接するように天井面に対し垂直に配置されている第１プリント基板の床面側に近い位置に受光素子が配置される。
よって、赤外線リモコン信号の受信性能を改善することができる。
【００１３】
本発明の放電灯点灯装置は、前記第２プリント基板は、少なくとも前記赤外線リモコン信号を受信する受光素子と、操作スイッチと、常夜灯と、を備えていることを特徴とする。
【００１４】
本発明においては、第２プリント基板が、天井面に対し垂直に配置されている第１プリント基板の床面側に近い位置に、受光素子に加えて操作スイッチと常夜灯とが配置される。
よって、操作スイッチや常夜灯が第２プリント基板に装備されることにより、操作スイッチや常夜灯を別所に組み付けていたものと比べて、構造を簡素化することができるとともに組立性の向上を図ることができる。
【００１５】
本発明の放電灯点灯装置は、前記放電灯点灯回路部は、引掛ローゼットに受電接続される一対の引掛刃をケースの外郭に備えていることを特徴とする。
【００１６】
本発明においては、放電灯点灯装置を照明器具の中央部に配置しても、照明器具の取付け時等の施工性を阻害することがないとともに、受電接続するコネクタ等を用いる場合と比べて、構造を簡素化することができるとともに組立性の向上を図ることができる。
【００１７】
本発明の照明器具は、本発明の放電灯点灯装置を備えていることを特徴とする。
【００１８】
本発明においては、受光素子が放電灯からの光ノイズの影響を受け難い放電灯点灯装置を備えていることにより、赤外線リモコン信号の受信性能を改善した照明器具を得ることができる。
【００１９】
本発明の照明器具は、前記天井面に対して、前記受光素子を前記環状の放電灯の下端よりも遠くに配置したことを特徴とする。
【００２０】
本発明においては、受光素子が放電灯の下端よりも遠くに配置されることにより、受光素子が放電灯からの光ノイズの影響を受け難い放電灯点灯装置を備えた照明器具を得ることができる。
【発明の効果】
【００２１】
本発明の放電灯点灯装置及び照明器具によれば、環状の放電灯の中心に配置されて、放電灯点灯回路部を構成する電子部品を実装した第１プリント基板を天井面に対し垂直になるように備え、赤外線リモコン信号を受信する受光素子の受光面を天井面に対向する床面に対向するように配置した。
これにより、赤外線リモコン信号の受信性能を改善して高品質にすることができる放電灯点灯装置及び照明器具を提供できるという効果を有する。
【発明を実施するための最良の形態】
【００２２】
以下、本発明の複数の実施形態に係る放電灯点灯装置及び照明器具について、図面を参照して説明する。
【００２３】
（第１実施形態）
図１（Ａ），（Ｂ）に示すように、本発明の第１実施形態の照明器具１００は、丸型であって不図示の天井面に並行に配置される器具本体１０１に環状の蛍光灯（２重管環状形蛍光灯）１０２，１０３を備え、蛍光灯１０２，１０３の光を拡散させるための半透明のグローブ１０４を取り付けており、器具本体１０１の中央部に、ケース２０に収容された放電灯点灯装置１０を配置している。
器具本体１０１には、蛍光灯１０２，１０３を２重に組み付けるための複数のフック１０５を有する。
【００２４】
放電灯点灯装置１０は、第１プリント基板１１と、第１プリント基板１１とは独立した第２プリント基板１２と、を備えている。第１プリント基板１１は、天井面、即ち器具本体１０１に垂直に配置されている。第２プリント基板１２は、天井面、即ち器具本体１０１に並行に、不図示の床面に対向するように配置されている。
【００２５】
図２にも示すように、第１プリント基板１１には、複数の電子部品１３を実装した放電灯点灯回路部１４を有する。放電灯点灯回路部１４の電子部品１３としては、例えば、ラインフィルタ及びコンデンサからなりコネクタ１５を介して商用電源に接続する電源帰還ノイズ低減用のフィルタ回路と、ダイオードブリッジからなる整流回路と、スイッチング素子（ＦＥＴ），チョークコイル，ダイオード及びコンデンサで構成され商用電源からの入力電流歪率を低減するための昇圧チョッパ回路と、平滑コンデンサを並列接続した平滑回路と、一対のスイッチング素子（ＦＥＴ），チョークコイル，出力用のトランス，予熱電流供給用のトランス，コンデンサで構成され平滑回路から出力される直流出力を高周波の交流出力に変換するインバータ回路と、昇圧チョッパ回路のスイッチング素子をオンオフ制御するチョッパ制御回路と、インバータ回路のスイッチング素子をオンオフするための制御信号を作成するインバータ制御回路と、インバータ制御回路からの制御信号に応じて各スイッチング素子をオンオフ駆動するドライバ回路と、チョッパ制御回路，インバータ制御回路及びドライバ回路の動作電源を供給する電源回路と、蛍光灯１０２，１０３に通電するためのコネクタ１６，１７と、点灯、消灯、調光を制御する点灯制御回路とである。
【００２６】
第２プリント基板１２は、第１プリント基板１１の下方の長辺１８側に、第１プリント基板１１に直交するように接続されている。
【００２７】
第２プリント基板１２には、受光素子１９が実装されている。受光素子１９は、受光面２１を有する。
【００２８】
図３にも示すように、放電灯点灯装置１０は、ケース２０内に放電灯点灯回路部１４を収容し、受光素子１９の受光面２１を床面に対向させて配置している。
【００２９】
このような放電灯点灯装置１０を備えた照明器具１００は、受光素子１９が、床面に近づいて配置されるとともに蛍光灯１０２，１０３から遠く配置される。
【００３０】
そして、照明器具１００は、使用者が不図示のリモコンを操作することにより、リモコンから発せられた赤外線リモコン信号を受光面２１が受信し、放電灯点灯回路部１４の点灯制御回路により赤外線リモコン信号を処理することにより、遠隔操作により、コネクタ１６，１７から蛍光灯１０２，１０３に給電して点灯、消灯、調光を行う。
【００３１】
前述した第１実施形態の放電灯点灯装置１０によれば、環状の蛍光灯１０２，１０３の中心に配置されて、放電灯点灯回路部１４を構成する複数の電子部品１３を実装した第１プリント基板１１を天井面に対し垂直になるように備え、赤外線リモコン信号を受信する受光素子１９の受光面２１を天井面に対向する床面に対向するように配置した。
これにより、受光素子１９が蛍光灯１０２，１０３からの光ノイズの影響を受け難くなって、赤外線リモコン信号の受信性能を改善することができる。
【００３２】
また、第１実施形態の放電灯点灯装置１０によれば、第１プリント基板１１とは独立した第２プリント基板１２に受光素子１９を実装し、第２プリント基板１２を天井面と並行になるように第１プリント基板１１に接続したことにより、天井面に対し垂直に配置されている第１プリント基板１１の床面側の蛍光灯１０２，１０３からの光ノイズの影響を受け難い位置に受光素子１９が配置される。
これにより、赤外線リモコン信号の受信性能を改善することができる。
【００３３】
第１実施形態の照明器具１００によれば、受光素子１９が蛍光灯１０２，１０３からの光ノイズの影響を受け難い放電灯点灯装置１０を備えていることにより、赤外線リモコン信号の受信性能を改善した照明器具１００を得ることができる。
【００３４】
（第２実施形態）
次に、本発明の第２実施形態の放電灯点灯装置及び照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００３５】
図４に示すように、本発明の第２実施形態の照明器具２００は、放電灯点灯装置３０の第１プリント基板１１を縦向きに配置して第２プリント基板１２を第１プリント基板１１の底部側に接続している。
【００３６】
図５にも示すように、第１プリント基板１１は、その短辺、即ち、上面３１を天井面に接するように、その長辺、即ち、側面３２を天井面に垂直になるように配置している。
【００３７】
第２プリント基板１２は、第１プリント基板１１の下方の短辺、即ち下面３３側に、第１プリント基板１１に直交するように接続されている。
【００３８】
図６にも示すように、放電灯点灯装置３０は、ケース２０内に放電灯点灯回路部１４を収容し、受光素子１９の受光面２１を床面に対向させて配置している。
従って、第２プリント基板１２は、受光素子１９を第１プリント基板１１の床面側に近い位置に配置している。
【００３９】
第２実施形態の放電灯点灯装置３０は、第１実施形態と同様の作用効果を有する。特に、本実施形態によれば、上面３１が天井面に接するように天井面に対し垂直に配置されている第１プリント基板１１の床面側に近い位置に受光素子１９が配置される。
これにより、赤外線リモコン信号の受信性能を改善することができる。
【００４０】
（第３実施形態）
次に、本発明の第３実施形態の放電灯点灯装置及び照明器具について説明する。
【００４１】
図７（Ａ），（Ｂ）に示すように、本発明の第３実施形態の照明器具３００は、放電灯点灯装置４０の第１プリント基板１１を縦向きに配置して第２プリント基板１２を第１プリント基板１１の底部側に接続しており、第２プリント基板１２を蛍光灯１０２，１０３の下端よりも床面側に向けて遠く配置している。
【００４２】
図８にも示すように、第２プリント基板１２は、第１プリント基板１１の下方の短辺、即ち下面３３側に、第１プリント基板１１に直交するように接続されており、受光素子１９に加えて、常夜灯用のＬＥＤ４１と、赤外線リモコン信号のチャンネル切替えを行うための操作スイッチ４２と、を実装している。
従って、常夜灯用のＬＥＤ４１や操作スイッチ４２を第２プリント基板１２に装備することにより、第２プリント基板１２の組み付けによりＬＥＤ４１や操作スイッチ４２を同時的に組み付けることができる。
【００４３】
図９にも示すように、放電灯点灯装置４０は、ケース２０内に放電灯点灯回路部１４を収容し、受光素子１９の受光面２１を床面に対向させて配置しているため、第２プリント基板１２は、受光素子１９を第１プリント基板１１の床面側に近い位置に配置している。
【００４４】
第３実施形態の放電灯点灯装置４０は、第１実施形態と同様の作用効果を有する。特に、本実施形態によれば、常夜灯用のＬＥＤ４１および操作スイッチ４２が第２プリント基板１２に装備される。
これにより、常夜灯や操作スイッチを別所に組み付けていたものと比べて、構造を簡素化することができるとともに組立性の向上を図ることができる。
【００４５】
また、第３実施形態の照明器具３００によれば、受光素子１９が蛍光灯１０２，１０３の下端よりも遠くに配置されることにより、受光素子１９が蛍光灯１０２，１０３からの光ノイズの影響を受け難い放電灯点灯装置４０を備えた照明器具３００を得ることができる。
【００４６】
（第４実施形態）
次に、本発明の第４実施形態の放電灯点灯装置及び照明器具について説明する。
【００４７】
図１０、図１１、図１２、図１３に示すように、本発明の第４実施形態の照明器具４００および放電灯点灯装置５０は、放電灯点灯回路部１４を収容した放電灯点灯装置５０のケース２０の外郭の上面５１に一対の引掛刃５２を突出形成している。一対の引掛刃５２は放電灯点灯回路部１４のコネクタ１５に電気的に接続されている。
【００４８】
一対の引掛刃５２は、天井面に配置されている引掛ローゼットや引掛ローゼント等の不図示の配線装置に受電接続されることにより、放電灯点灯装置５０の放電灯点灯回路部１４に商用電源ＡＣを電気的に接続する。
【００４９】
第４実施形態の放電灯点灯装置５０は、第１実施形態と同様の作用効果を有する。特に、本実施形態によれば、放電灯点灯装置５０を照明器具４００の中央部に配置しても、照明器具４００の取付け時等の施工性を阻害することがないとともに、受電接続するコネクタ等を用いる場合と比べて、構造を簡素化することができるとともに組立性の向上を図ることができる。
【００５０】
なお、前記各実施形態で使用した器具本体１０１、蛍光灯１０２，１０３、グローブ１０４、フック１０５は例示したものに限定するものではなく適宜変更が可能である。
【図面の簡単な説明】
【００５１】
【図１】（Ａ）は本発明に係る第１実施形態の照明器具の底面図、（Ｂ）は（Ａ）の分解斜視図
【図２】図１の照明器具に適用される放電灯点灯装置の放電灯点灯回路部の外観斜視図
【図３】図１の放電灯点灯装置の外観斜視図
【図４】本発明に係る第２実施形態の照明器具の側面図
【図５】図４の照明器具に適用される放電灯点灯装置の放電灯点灯回路部の外観斜視図
【図６】図４の放電灯点灯装置の外観斜視図
【図７】（Ａ）は本発明に係る第３実施形態の照明器具の分解斜視図、（Ｂ）は（Ａ）の側面図
【図８】図７の照明器具に適用される放電灯点灯装置の放電灯点灯回路部の外観斜視図
【図９】図７の放電灯点灯装置の外観斜視図
【図１０】本発明に係る第４実施形態の照明器具の側面図
【図１１】図１０の照明器具に適用される放電灯点灯装置の放電灯点灯回路部の外観斜視図
【図１２】図１０の放電灯点灯装置の斜め下方から視た外観斜視図
【図１３】図１０の放電灯点灯装置の斜め上方から視た外観斜視図
【符号の説明】
【００５２】
１０  放電灯点灯装置
１１  第１プリント基板
１２  第２プリント基板
１３  電子部品
１４  放電灯点灯回路部
１９  受光素子
２０  ケース
２１  受光面
３０  放電灯点灯装置
４０  放電灯点灯装置
４１  ＬＥＤ（常夜灯）
４２  操作スイッチ
５０  放電灯点灯装置
５２  引掛刃
１００  照明器具
１０２  蛍光灯（放電灯）
１０３  蛍光灯（放電灯）
２００  照明器具
３００  照明器具
４００  照明器具
【図１】
2010027572.tif 000003
【図２】
2010027572.tif 000004
【図３】
2010027572.tif 000005
【図４】
2010027572.tif 000006
【図５】
2010027572.tif 000007
【図６】
2010027572.tif 000008
【図７】
2010027572.tif 000009
【図８】
2010027572.tif 000010
【図９】
2010027572.tif 000011
【図１０】
2010027572.tif 000012
【図１１】
2010027572.tif 000013
【図１２】
2010027572.tif 000014
【図１３】
2010027572.tif 000015